(57)【要約】  本発明は、雌端子であって、上壁、下壁、および対の側壁により画成された、雌端子の長手方向に延びる挿入スロットと、対の側壁のそれぞれに形成された、対のカンチレバー型電気接触ばね片とを含み、対のカンチレバー型ガイドばね片をさらに含む雌端子を開示する。対のカンチレバー型電気接触ばね片は、それぞれの側壁に形成された開口部の後縁から挿入スロットの前部および内部に向かって各々斜めに延びて、挿入スロットに挿入される雄端子に電気的に接触する。対のカンチレバー型ガイドばね片は、それぞれの側壁に形成された開口部の前縁から挿入スロットの後部および内部に向かって各々斜めに延びて、雄端子を対の電気接触ばね片間に挿入するように案内する。対のガイドばね片の案内により、雄端子を対の電気接触ばね片間の間隙に正確かつスムーズに挿入することができ、電気接触ばね片が雄端子により潰されることがない。さらに、対のガイドばね片は対の側壁の一部により形成され、雌端子を製造するための材料を低減させ、費用を節約する。【選択図】図３
2017525104.tif 000002
【特許請求の範囲】
【請求項１】
雌端子（１００）であって、
上壁（１１１）、下壁（１１２）、および対の側壁（１１３、１１３）により画成された、前記雌端子（１００）の長手方向（Ｙ）に延びる挿入スロット（１２０）と、
前記対の側壁（１１３、１１３）のそれぞれに形成され、前記それぞれの側壁（１１３）に形成された開口部（１０３）の後縁（１０３ｂ）から前記挿入スロット（１２０）の前部および内部に向かって各々斜めに延びて、前記挿入スロット（１２０）に挿入される雄端子（２００）に電気的に接触する対のカンチレバー型電気接触ばね片（１３０、１３０）とを含み、
前記雌端子（１００）は、前記雄端子（２００）を前記対の電気接触ばね片（１３０、１３０）間に挿入するように案内する対のカンチレバー型ガイドばね片（１４０、１４０）をさらに含み、
前記対のカンチレバー型ガイドばね片（１４０、１４０）は、前記それぞれの側壁（１１３）に形成された前記開口部（１０３）の前縁（１０３ａ）から前記挿入スロット（１２０）の後部および内部に向かって各々斜めに延びる、雌端子。
【請求項２】
前記挿入スロット（１２０）内の前記対のガイドばね片（１４０、１４０）の自由端の先端間の距離（Ｌ１）は、前記挿入スロット（１２０）内の前記対の電気接触ばね片（１３０、１３０）の自由端の先端間の距離（Ｌ２）よりも小さい、
請求項１に記載の雌端子。
【請求項３】
前記対のガイドばね片（１４０、１４０）の自由端の前記先端間の前記距離（Ｌ１）は、前記対の電気接触ばね片（１３０、１３０）の電気接触部（１３０ａ）間の距離よりも大きい、
請求項２に記載の雌端子。
【請求項４】
前記電気接触ばね片（１３０）は、前記ガイドばね片（１４０）の幅に略等しい幅を有する、
請求項１に記載の雌端子。
【請求項５】
前記雌端子（１００）は、１枚の薄板で形成される、
請求項１に記載の雌端子。
【請求項６】
前記雌端子（１００）を１枚の薄板に展開したとき、同じ一側壁（１１３）にある前記電気接触ばね片（１３０）と前記ガイドばね片（１４０）とが前記雌端子（１００）の前記長手方向（Ｙ）において互いに位置合わせされ、前記側壁（１１３）の前記開口部（１０３）内に位置する、
請求項５に記載の雌端子。
【請求項７】
前記雌端子（１００）を１枚の薄板に展開したとき、前記ガイドばね片（１４０）の前記長手方向（Ｙ）の長さは前記電気接触ばね片（１３０）の前記長手方向（Ｙ）の長さの１０％〜３５％に等しい、
請求項６に記載の雌端子。
【請求項８】
対の第１のサイドウィング（１０１）をさらに含み、
前記第１のサイドウィング（１０１）は、前記挿入スロット（１２０）の後部に形成され、ケーブルの導体に圧着されるように構成されて、前記ケーブルの前記導体を電気的に接続する、
請求項１に記載の雌端子。
【請求項９】
対の第２のサイドウィング（１０２）をさらに含み、
前記第２のサイドウィング（１０２）は、前記対の第１のサイドウィング（１０１）の後部に形成され、前記ケーブルの外被に圧着されるように構成されて、前記ケーブルに及ぼされる引張力が、前記ケーブルの前記導体に伝わる代わりに前記ケーブルの前記外被を通して前記雌端子（１００）に伝わる、
請求項８に記載の雌端子。
【請求項１０】
絶縁ハウジングと、
前記絶縁ハウジング内に受けられる請求項１に記載の雌端子（１００）とを含む電気コネクタ。
【発明の詳細な説明】
【技術分野】
【０００１】
関連出願の相互参照
本出願は、２０１４年７月７日に中国国家知識産権局に提出された中国特許出願第ＣＮ２０１４２０３７１７０６．４の優先権を主張する。その開示全体が、参照により本明細書に組み込まれている。
【０００２】
本発明は、雌端子および雌端子を含む電気コネクタに関する。
【背景技術】
【０００３】
図１ａは先行技術の雌端子の例示的な斜視図、図１ｂは図１ａの雌端子の断面図である。
【０００４】
図１ａおよび図１ｂに示すように、雌端子１０は、その前部の４つの壁により画成された挿入スロット１２と、挿入スロット１２の対の側壁１１に形成された対のカンチレバー型電気接触ばね片１３とを含む。対のカンチレバー型電気接触ばね片１３は、雌端子１０の挿入スロット１２に挿入された雄端子に電気的に接触するように構成される。
【０００５】
図１ａおよび図１ｂの雌端子の挿入スロット１２に雄端子を挿入する際に、雄端子を確実にスムーズに挿入するために、雄端子を雌端子１０の長手方向に平行な姿勢で挿入すべきである。
【発明の概要】
【発明が解決しようとする課題】
【０００６】
しかしながら、図１ｂに示すように、実際の操作プロセスでは、操作者は、不注意により雌端子１０の長手方向に対して斜めの姿勢で雄端子２０を挿入することが多い。この場合、図１ｂに示すように、雄端子２０の先端が電気接触ばね片１３の一方の端部を直接押すことがあり、この先端を対の電気接触ばね片１３、１３の間の間隙に挿入することができない。その結果、雌端子１０の電気接触ばね片１３が雄端子２０により潰されて破損するおそれがある。
【０００７】
先行技術の図１ａおよび図１ｂの雌端子１０の上記の技術的問題を解決するために、たとえば図２ａおよび図２ｂに示すように、ガイドばね片を有する雌端子が提供される。
【０００８】
図２ａおよび図２ｂを参照すると、対のガイドばね片１４’、１４’が、雌端子１０’の挿入スロット１２’の前ポートの対の両側縁に形成される。ガイドばね片１４’、１４’の各々は、挿入スロット１２’の前ポートの側縁から挿入スロット１２’の内部に向かって曲がり、挿入スロット１２’の後部に向かって斜めに延びる。対のカンチレバー型電気接触ばね片１３’、１３’が対の側壁１１’、１１’に形成され、挿入スロット１２’の前部および内部に向かって斜めに延びる。
【０００９】
図２ｂに示すように、雄端子２０’を雌端子１０’の挿入スロット１２’に挿入する際、雄端子２０’の先端が対のガイドばね片１４’、１４’により案内され、対のカンチレバー型電気接触ばね片１３’、１３’間の間隙にスムーズに挿入され、対のカンチレバー型電気接触ばね片１３’、１３’の電気接触部に電気的に接触する。
【００１０】
図２ａおよび図２ｂに示す雌端子１０’では、雄端子２０’が雌端子１０’の長手方向に対して斜めの姿勢で雌端子１０’の挿入スロット１２’に挿入されても、対のガイドばね片１４’、１４’は斜めの雄端子２０’を雌端子１０’の長手方向に平行な正しい姿勢に案内することができるため、雄端子２０’は対のカンチレバー型電気接触ばね片１３’、１３’間の間隙にスムーズに挿入され、雌端子１０’が雄端子２０’によって潰されて破損することを防ぐ。
【００１１】
しかしながら、図２ａおよび図２ｂに示す雌端子１０’では、ガイドばね片１４’、１４’が、雌端子１０’の挿入スロット１２’の前ポートの側縁から延びるさらなる舌により形成されるため、雌端子１０’を製造するための材料の量が増加する。さらに、図２ａおよび図２ｂに示す雌端子１０’では、ガイドばね片１４’、１４’の幅が電気接触ばね片１３’、１３’の幅よりもはるかに大きいため、雌端子１０’を製造するための材料の量がさらに増加する。
【課題を解決するための手段】
【００１２】
本発明は、上記の欠点の少なくとも１つの態様を克服または軽減するためになされたものである。
【００１３】
雌端子の対の電気接触ばね片間の間隙に雄端子を正確に案内するように構成されたガイド構造を有する雌端子を提供することが有利となる。
【００１４】
また、より少ない材料で製造される雌端子を提供することが有利となり得る。
【００１５】
本発明の態様によれば、雌端子であって、上壁、下壁、および対の側壁により画成された、前記雌端子の長手方向に延びる挿入スロットと、対の側壁のそれぞれに形成され、それぞれの側壁に形成された開口部の後縁から挿入スロットの前部および内部に向かって各々斜めに延びて、挿入スロットに挿入される雄端子に電気的に接触する対のカンチレバー型電気接触ばね片とを含み、雄端子を対の電気接触ばね片間に挿入するように案内する対のカンチレバー型ガイドばね片をさらに含む雌端子が提供される。この対のカンチレバー型ガイドばね片は、それぞれの側壁に形成された開口部の前縁から挿入スロットの後部および内部に向かって各々斜めに延びる。
【００１６】
本発明の例示的な実施形態によれば、挿入スロット内の対のガイドばね片の自由端の先端間の距離は、挿入スロット内の対の電気接触ばね片の自由端の先端間の距離よりも小さい。
【００１７】
本発明の別の例示的な実施形態によれば、対のガイドばね片の自由端の先端間の距離は、対の電気接触ばね片の電気接触部間の距離よりも大きい。
【００１８】
本発明の別の例示的な実施形態によれば、電気接触ばね片はガイドばね片の幅に略等しい幅を有する。
【００１９】
本発明の別の例示的な実施形態によれば、雌端子は１枚の薄板で形成される。
【００２０】
本発明の別の例示的な実施形態によれば、雌端子を１枚の薄板に展開したとき、同じ一側壁にある電気接触ばね片とガイドばね片とは雌端子の長手方向において互いに位置合わせされ、側壁の開口部内に位置する。
【００２１】
本発明の別の例示的な実施形態によれば、雌端子を１枚の薄板に展開したとき、ガイドばね片の長手方向の長さは電気接触ばね片の長手方向の長さの１０％〜３５％に等しい。
【００２２】
本発明の別の例示的な実施形態によれば、雌端子は対の第１のサイドウィングをさらに含み、この第１のサイドウィングは挿入スロットの後部に形成され、ケーブルの導体に圧着されるように構成されて、ケーブルの導体を電気的に接続する。
【００２３】
本発明の別の例示的な実施形態によれば、雌端子は対の第２のサイドウィングをさらに含み、この第２のサイドウィングは対の第１のサイドウィングの後部に形成され、ケーブルの外被に圧着されるように構成されて、ケーブルに及ぼされる引張力が、ケーブルの導体に伝わる代わりにケーブルの外被を通して雌端子に伝わって、ケーブルの導体が外れることを防ぐ。
【００２４】
本発明の別の態様によれば、絶縁ハウジングと、絶縁ハウジング内に受けられる上記雌端子とを含む電気コネクタが提供される。
【００２５】
本発明の上記の様々な例示的実施形態において、雄端子が対のガイドばね片を含むため、対のガイドばね片の案内により、雄端子を対の電気接触ばね片間の間隙に正確かつスムーズに挿入することができる。これにより、雄端子が雌端子の長手方向に対して斜めの姿勢で挿入されても、対のガイドばね片は斜めの雄端子を雌端子の長手方向に平行な正しい姿勢に案内することができ、雌端子の電気接触ばね片が雄端子により潰されることがない。
【００２６】
さらに、対のガイドばね片は、対の側壁の最前端から突出する対のさらなる舌の代わりに、挿入スロットの対の側壁の一部により形成される。これにより、雌端子を製造するための材料を低減させ、費用を節約する。
【００２７】
添付図面を参照しながら本発明の例示的な実施形態を詳細に説明することにより、本発明の上記およびその他の特徴がより明らかになろう。
【図面の簡単な説明】
【００２８】
【図１ａ】先行技術の雌端子の例示的な斜視図である。
【図１ｂ】図１ａの雌端子の断面図である。
【図２ａ】先行技術の別の雌端子の例示的な斜視図である。
【図２ｂ】図２ａの雌端子の断面図である。
【図３】本発明の例示的な実施形態による雌端子の例示的な斜視図である。
【図４】図３の雌端子の断面図である。
【図５】相手側雄端子を図３の雌端子の挿入スロットに挿入した後の雌端子の例示的な断面図である。
【図６】図３の雌端子を１枚の薄板に展開した例示的な図である。
【発明を実施するための形態】
【００２９】
以下で、添付図面を参照しながら、本開示の例示的な実施形態について詳細に説明する。図中、同一の参照符号は同一の要素を指す。ただし、本開示を多くの異なる形態で具体化してもよく、本明細書に記載の実施形態に限定されるものと解釈すべきではない。むしろ、これらの実施形態は、本開示が網羅的かつ完全なものとなり、開示の概念を当業者に十分に伝えるように提供される。
【００３０】
以下の詳細な説明において、説明の目的で、開示された実施形態の網羅的な理解をもたらすために、多くの特定の詳細について記載する。しかしながら、これらの特定の詳細なしで１つまたは複数の実施形態を実施してもよいことが明らかになろう。他の例では、図面を簡単にするために、周知の構造およびデバイスは概略的に示される。
【００３１】
本発明の一般的な概念によれば、雌端子であって、上壁、下壁、および対の側壁により画成された、雌端子の長手方向に延びる挿入スロットと、対の側壁のそれぞれに形成され、それぞれの側壁に形成された開口部の後縁から挿入スロットの前部および内部に向かって各々斜めに延びて、挿入スロットに挿入される雄端子に電気的に接触する対のカンチレバー型電気接触ばね片とを含み、雄端子を対の電気接触ばね片間に挿入するように案内する対のカンチレバー型ガイドばね片をさらに含む雌端子が提供される。この対のカンチレバー型ガイドばね片は、それぞれの側壁に形成された開口部の前縁から挿入スロットの後部および内部に向かって各々斜めに延びる。
【００３２】
図３は、本発明の例示的な実施形態による雌端子１００の例示的な斜視図である。
【００３３】
図３に示すように、例示した実施形態において、雌端子１００は、挿入スロット１２０、対のカンチレバー型電気接触ばね片１３０、１３０、対のカンチレバー型ガイドばね片１４０、１４０、対の第１のサイドウィング１０１、および対の第２のサイドウィング１０２を主に含む。
【００３４】
本発明の実施形態において、図３に示すように、挿入スロット１２０は、上壁１１１、下壁１１２、および対の側壁１１３、１１３により画成される。挿入スロット１２０は、雌端子１００の長手方向Ｙに延びるように形成される。
【００３５】
図３に示すように、カンチレバー型電気接触ばね片１３０、１３０は、カンチレバー型ガイドばね片１４０、１４０のそれぞれに面するように配置される。開口部１０３が側壁１１３の各々に形成される。カンチレバー型電気接触ばね片１３０、１３０の一方および１つの対応するカンチレバー型ガイドばね片１４０、１４０は、開口部１０３の後縁１０３ｂおよび前縁１０３ａのそれぞれから互いに向かって延びる。
【００３６】
図４は、図３の雌端子１００の断面図である。
【００３７】
図３および図４に示すように、例示した実施形態において、カンチレバー型電気接触ばね片１３０の各々の後端（図４の右端）は開口部１０３の後縁１０３ｂに連結され、カンチレバー型電気接触ばね片１３０は、開口部１０３の後縁１０３ｂから挿入スロット１２０の前部（図４の左側）および内部に向かって斜めに延びて、挿入スロット１２０に挿入された雄端子２００（図５参照）に電気的に接触する。
【００３８】
再び図３および図４を参照すると、例示した実施形態において、カンチレバー型ガイドばね片１４０、１４０の各々の前端（図４の左端）は開口部１０３の前縁１０３ａに連結される。カンチレバー型ガイドばね片１４０、１４０の各々は、開口部１０３の前縁１０３ａから挿入スロット１２０の後部（図４の右側）および内部に向かって斜めに延びて、雄端子２００（図５参照）を対の電気接触ばね片１３０、１３０間の間隙に挿入するように案内する。
【００３９】
本発明の実施形態において、図３に示すように、対の第１のサイドウィング１０１が挿入スロット１２０の後部に形成され、ケーブル（図示せず）の導体に圧着されるように構成されて、ケーブルの導体を電気的に接続する。
【００４０】
再び図３を参照すると、実施形態において、対の第２のサイドウィング１０２が対の第１のサイドウィング１０１の後部に形成され、ケーブル（図示せず）の外被に圧着されるように構成されて、ケーブルに及ぼされる引張力が、ケーブルの導体に伝わる代わりにケーブルの外被を通して雌端子１００に伝わって、ケーブルの導体が外れることを防ぐ。
【００４１】
図５は、相手側雄端子２００を図３の雌端子１００の挿入スロット１２０に挿入した後の雌端子１００の例示的な断面図である。
【００４２】
図４および図５に示すように、本発明の実施形態において、挿入スロット１２０内の対のガイドばね片１４０、１４０の自由端の先端間の距離Ｌ１は、挿入スロット１２０内の対の電気接触ばね片１３０、１３０の自由端の先端間の距離Ｌ２よりも小さい。このようにして、図５に示すように、雄端子２００を雌端子１００に挿入する際に、雌端子１００の電気接触ばね片１３０の先端のいずれか一方が相手側雄端子２００の先端により押されることを効果的に防ぐことができる。これにより、対のガイドばね片１４０、１４０の案内によって、雄端子２００を対の電気接触ばね片１３０、１３０間の間隙に正確かつスムーズに挿入して、対の電気接触ばね片１３０、１３０の電気接触部１３０ａ、１３０ａ間に挟むことができ、雄端子２００と雌端子１００との安定した電気接続を達成する。
【００４３】
図３〜図５に示す例示した実施形態において、雄端子２００が雌端子１００の長手方向Ｙに対して斜めの不適切な姿勢で挿入されても、対のガイドばね片１４０、１４０が斜めの雄端子２００を雌端子１００の長手方向Ｙに平行な正しい姿勢に案内することができる。これにより、雌端子１００の電気接触ばね片１３０、１３０が雄端子２００により潰されて破損することがない。
【００４４】
再び図３〜図５を参照すると、本発明の実施形態において、挿入スロット１２０内の対のガイドばね片１４０、１４０の先端間の距離Ｌ１は、対の電気接触ばね片１３０、１３０の電気接触部１３０ａ間の距離よりも大きく設定される。このようにして、雄端子２００が対のガイドばね片１４０、１４０および対の電気接触部１３０ａ、１３０ａに同時に接触することを防いで、挿入力を小さくし、雄端子２００の挿入を容易にすることができる。
【００４５】
図６は、図３の雌端子１００を１枚の薄板に展開した例示的な図である。
【００４６】
図３〜図６に示すように、本発明の例示的な実施形態において、雌端子１００は１枚の薄板から折り曲げられる。図６に明確に示すように、雌端子１００を１枚の薄板に展開したとき、同じ一側壁にある電気接触ばね片１３０とガイドばね片１４０とは雌端子１００の長手方向Ｙにおいて互いに位置合わせされ、側壁１１３の開口部１０３内に位置する。すなわち、電気接触ばね片１３０およびガイドばね片１４０の両方が、対の側壁の最前端（図６の下端）から突出する対のさらなる舌により形成される代わりに、開口部１０３内の側壁１１３の一部により形成される。これにより、雌端子１００を製造するための材料を低減させ、費用を節約する。
【００４７】
本発明の実施形態において、図６に示すように、電気接触ばね片１３０はガイドばね片１４０の幅に略等しい幅を有する。雌端子１００の長手方向Ｙにおいて同じ一側壁１１３にある電気接触ばね片１３０およびガイドばね片１４０の先端間の間隙は、非常に小さいか、またはさらにはゼロに等しい。
【００４８】
再び図６を参照すると、本発明の実施形態において、雌端子１００を１枚の薄板に展開したとき、ガイドばね片１４０の長手方向Ｙの長さは電気接触ばね片１３０の長手方向Ｙの長さの１０％〜３５％に等しい。このようにして、電気接触ばね片１３０が確実に十分な長さを有し、電気接触ばね片１３０が確実に十分な可撓性を有することができる。これにより、雄端子２００を、小さい挿入力で雌端子１００に容易に挿入することができる。
【００４９】
図６に示すように、雌端子１００を１枚の薄板に展開したとき、雌端子１００の上壁１１１は、１枚の薄板の両側のそれぞれに形成された第１の上壁部１１１ａおよび第２の上壁部１１１ｂを含む。図３に示すように、図６の１枚の薄板を折り曲げて図３の雌端子１００にすると、第１の上壁部１１１ａと第２の上壁部１１１ｂとが嵌合して雌端子１００の上壁１１１を形成する。
【００５０】
図示しないが、本発明の別の例示的な実施形態において、絶縁ハウジングと、絶縁ハウジング内に受けられる上記雌端子１００とを含む電気コネクタも提供される。
【００５１】
上記の実施形態は例示的なものであり、限定的なものではないことを当業者は理解すべきである。たとえば、当業者は上記の実施形態に多くの修正を行ってもよく、異なる実施形態に記載された様々な特徴を、構成または原理において矛盾することなく互いに自由に組み合わせてもよい。
【００５２】
いくつかの例示的な実施形態について図示し説明したが、特許請求の範囲およびその均等物に範囲が定義された本開示の原理および精神から逸脱することなく、これらの実施形態に様々な変更または修正を行ってもよいことを当業者は理解するだろう。
【００５３】
本明細書で使用するように、「ａ」または「ａｎ」という用語に続く、単数形で記載される要素は、特に明記のない限り、前記要素またはステップの複数形を排除するものではないことを理解すべきである。さらに、本発明の「一実施形態」への言及は、記載された特徴をも組み込んださらなる実施形態の存在を排除するものと解釈すべきではない。さらに、特に別段の明記のない限り、特定の特性を有する１つまたは複数の要素を「含む（ｃｏｍｐｒｉｓｉｎｇ）」または「有する（ｈａｖｉｎｇ）」実施形態は、その特性を有していないさらなるそのような要素を含んでもよい。
【図１ａ】
2017525104.tif 000003
【図１ｂ】
2017525104.tif 000004
【図２ａ】
2017525104.tif 000005
【図２ｂ】
2017525104.tif 000006
【図３】
2017525104.tif 000007
【図４】
2017525104.tif 000008
【図５】
2017525104.tif 000009
【図６】
2017525104.tif 000010
【国際調査報告】
2017525104.tif 000011
2017525104.tif 000012